(57)【特許請求の範囲】
【請求項１】
カウンターの水栓取付孔に水栓取付部材を固定し、この水栓取付部材に水栓を上方から係合させて固定した水栓取付構造であって、
前記水栓取付部材は、該カウンターの上面のうち水栓取付孔の周縁部に対面する下向き面を有しており、
該下向き面と水栓取付孔周縁部との間にリング状のパッキンが挟持されている水栓取付構造において、
該パッキンは、該水栓取付部材の外周にはみ出した外周部を有しており、該外周部の外周面は上方ほど縮径するテーパ面となっており、
前記水栓の下部には、該水栓取付部材に外嵌した筒状部が設けられており、
該筒状部の下端の内周側の角縁部は、前記パッキンのテーパ面に密着したテーパ面となっていることを特徴とする水栓取付構造。
【請求項２】
請求項１において、前記パッキンの下面は前記カウンター上面に接しており、該パッキンの上面の内周側に凹段部が設けられ、該凹段部よりも外周側が前記外周部となっており、
該凹段部に前記水栓取付部材の下部が嵌合し、該凹段部の周壁が該水栓取付部材の外周面に沿って立ち上っていることを特徴とする水栓取付構造。
【請求項３】
請求項２において、該凹段部の周壁の上部と前記テーパ面の上部とが交わっており、この交わった部分が上方に向って尖った形状となっていることを特徴とする水栓取付構造。
【請求項４】
請求項１ないし３のいずれか１項において、該水栓取付部材は筒形状の取付筒であることを特徴とする水栓取付構造。
【請求項５】
請求項１ないし４のいずれか１項において、前記水栓の下部に設けられた前記筒状部は、その下端面が全周にわたって前記カウンターに接していることを特徴とする水栓取付構造。
【請求項６】
請求項２の水栓取付構造に用いられるリング状のパッキンであって、
前記カウンター上に配置された状態においてカウンター上面に対面する平坦状の下面と、内周側に凹段部が周設された上面とを有しており、
且つ、外周面が該下面側から上面側に向って縮径するテーパ面となっている水栓取付用パッキン。
【請求項７】
請求項３において、前記凹段部の周壁と前記テーパ面とが前記上面において交わっていることを特徴とする水栓取付用パッキン。
【発明の詳細な説明】
【０００１】
【発明の属する技術分野】
本発明はカウンターに水栓を取り付けた水栓取付構造と、それに用いるパッキンとに関する。詳しくは、本発明は、カウンターに固定した取付部材によって水栓をカウンターに上方からの作業で容易に取り付けることができるようにした水栓取付構造に関する。
【０００２】
【従来の技術】
カウンターに水栓を上方からの作業で取り付ける水栓取付構造の従来例として、第７，８図に示す特開平８−９３０１１号公報記載のものがある。
【０００３】
第７，８図において、カウンター５０に水栓取付孔５１が穿孔され、取付筒５２が上方から嵌入されている。この取付筒５２の上端には外向きの上鍔５３が設けられており、該上鍔５３が水栓取付孔５１の上縁に平パッキン５４を介して係止されている。この取付筒５２にナット５５が締め込まれることにより取付筒５２がカウンター５０に固定される。
【０００４】
水栓５６には下方に延出する弾性的な脚５７が設けられ、この脚５７を取付筒５２内に挿入し、その下端の爪５８を取付筒５２の下端に係止させることにより水栓５６がカウンター５０に固定される。なお、脚５７と取付筒５２の内周面との間に、水平方向のズレ防止用のパッキン５９が設けられている。
【０００５】
【発明が解決しようとする課題】
上記従来の水栓取付構造においては、カウンター５０に取付筒５２を水密的に取り付けるための平パッキン５４と、水栓５６の水平位置決め用（ガタつき防止用）のパッキン５９との２個のパッキンが必要であると共に、パッキン５９が取付筒５２内に挿入されるときに損傷し易い。
【０００６】
本発明は、水栓をカウンターに１個のパッキンで固定することができ、しかもパッキンの損傷も防止される水栓取付構造と、そのためのパッキンを提供することを目的とする。
【０００７】
【課題を解決するための手段】
本発明の水栓取付構造は、カウンターの水栓取付孔に水栓取付部材を固定し、この水栓取付部材に水栓を上方から係合させて固定した水栓取付構造であって、前記水栓取付部材は、該カウンターの上面のうち水栓取付孔の周縁部に対面する下向き面を有しており、該下向き面と水栓取付孔周縁部との間にリング状のパッキンが挟持されている水栓取付構造において、該パッキンは、該水栓取付部材の外周にはみ出した外周部を有しており、該外周部の外周面は上方ほど縮径するテーパ面となっており、前記水栓の下部には、該水栓取付部材に外嵌した筒状部が設けられており、該筒状部の下端の内周側の角縁部は、前記パッキンのテーパ面に密着したテーパ面となっていることを特徴とするものである。
【０００８】
かかる水栓取付構造にあっては、１個のパッキンが水栓取付部材のカウンターへの水密的固定と、水栓の水平位置決めとの双方の機能を有している。
【０００９】
即ち、パッキンの内周部が水栓取付部材の下向き面とカウンター上面との間に介在され、水栓取付部材がカウンターに水密的に固定される。
【００１０】
また、このパッキンの外周のテーパ面に水栓下部のテーパ面が係合することにより、水栓の水平方向の位置決めが行われ、水栓のガタツキが防止される。
【００１１】
本発明では、パッキンの外周部は、前記水栓取付部材の外周面に沿って立ち上っていることが好ましい。このように構成することにより、テーパ面の斜面長さを大きくとることができ、水栓の取付部の水密性及び位置決め精度が一層向上する。
【００１２】
本発明のパッキンは、カウンター上面に対面する平坦状の下面と、内周側に凹段部が周設された上面とを有しており、且つ、外周面が該下面側から上面側に向って縮径するテーパ面となっているものである。
【００１３】
本発明のパッキンにあっては、凹段部の周壁と前記テーパ面とが前記上面において交わっていることが好ましい。
【００１４】
【発明の実施の形態】
第１図は実施の形態に係る水栓取付構造を示す断面図である。第２図は水栓取付部材のカウンターへの取付構造を示す分解斜視図、第３，４図は取付途中の断面図、第５図はパッキンの構成図である。
【００１５】
カウンター１のバックガード２とシンク３との間に水栓取付孔４が設けられ、この水栓取付孔４に水栓取付部材としての取付筒３５が固定されている。この取付筒３５は、カウンター１の上側に配置される短い筒状のものであり、カウンター１の正面側に雌ネジ孔３９が設けられている。
【００１６】
この取付筒３５は、リング状のパッキン３６、Ｕ型座金４０、長ボルト４１、ナット４２及びワッシャ４３、４４を用いてカウンター１に固定されている。
【００１７】
パッキン３６は、内周側が平板状であり、外周側が断面三角形となっている。内周側の上縁は段部３７が周設されている。外周面は上方ほど縮径するテーパ面３８となっている。パッキン３６の底面は平坦であり、且つカウンター１の上面に密着するようにリング状パッキン３６の軸心線と垂直方向となっている。段部３７の周壁３７ａはテーパ面（外周面）３８と交わっており、この交わった部分が上方に向って尖った形状となっている。
【００１８】
段部３７に取付筒３５の下部が嵌合される。
【００１９】
なお、取付筒３５はカウンター１の上方側からの作業だけでカウンター１に取付可能である。即ち、Ｕ型座金４０は水栓取付孔４を通過可能であり、第２図の如く長ボルト４１にナット４２を締めることにより、Ｕ型座金４０がカウンター１に固定される。従って、この取付筒３５は現場でもカウンター１に容易に固定できる。
【００２０】
この取付筒３５の外側部分に水栓１０が嵌合し、ネジ９によってネジ留めされている。このネジ９は、雌ネジ孔３９にネジ込まれている。
【００２１】
この水栓１０は、台所用シングルレバー湯水混合水栓であり、給湯管１１及び給水管（図示略）が接続された水栓ボディ１２と、該水栓ボディの上側に配置されたミキシング機構１３と、該ミキシング機構１３を操作するためのハンドル１４と、ミキシング機構１３を囲むケースアッパー１５と、吐水管１６を一体に備えたケースミドル１７と、ケースアッパー１５に被さるケーストップ１８等よりなる。
【００２２】
水栓ボディ１２は、取付筒３５に外嵌する内孔１９ａを有した筒状のボディロワー１９と、該ボディロワー１９から立上るボディミドル２０と、該ボディミドル２０の上側のボディアッパー２１とを備えている。ボディロワー１９の下端内周縁は、パッキン３６のテーパ面３８に倣ったテーパ面となっている。
【００２３】
前記給湯管１１及び給水管に連なる給湯孔２２及び給水孔（図示略）がボディミドル２０からボディアッパー２１を貫通し、ミキシング機構１３の固定弁体２３の給湯ポート及び給水ポートに連通している。ハンドル１４を上下左右に回動させることにより、この給湯ポート及び給水ポートと混合水流出ポートとの連通状態が可動弁体２４によって切り替えられることにより、ボディアッパー２１に設けられた混合水路２５への流出水（混合水）の水温及び水量が調節される。混合水は、ケースミドル１７内の混合水室２６を経て吐水管１６の先端から吐出される。
【００２４】
ボディロワー１８に筒状の装飾カバー２８が外嵌されており、この装飾カバー２８は水栓１０の背後側のカバー固定ネジ２９によってボディロワー１９に固定されている。装飾カバー２８には、このネジ２９が挿通された開口３０が設けられている。また、ボディロワー１９には、ネジ２９が螺合した雌ネジ孔３１と、前記ネジ９が挿通された素孔３２とが設けられている。
【００２５】
水栓１０をカウンター１に固定するには、まず、カバー２８を回し、開口３０と素孔３２とを対面させておく。次いで、カウンター１に固定された取付筒３５に対しボディロワー１９の内孔１９ａを上方から外嵌させる。次いで、第４図の如く開口３０を通してネジ９を素孔３２から雌ネジ孔８に強くネジ込む。
【００２６】
しかる後、カバー２８を１８０°回転させ、開口３０を雌ネジ孔３１に対面させ、ネジ２９を該雌ネジ孔３１にネジ込む。これにより、水栓１０がカウンター１に固定される。
【００２７】
この場合、パッキン３６の内周側が取付筒３５とカウンター１との間に介在され、かつパッキン３６のテーパ面３８が水栓１０のボディロワー１９の下端のテーパ面に密着し、水栓１０の水平方向の位置決めも行われる。従って、１個のパッキン３６によって取付筒３６の固定と水栓１０の位置決めを行える。なお、水栓１０の取付作業に際してパッキン３６が傷付くこともない。
【００２８】
なお、第４図の如く、ネジ９を雌ネジ孔３９にネジ込むときには、ドライバ等の工具を水栓１０の正面から操作でき、この際、工具の手許はシンク３内に配置されるため、工具を操作し易く、ネジ９を簡単にしかも強く締め込むことができる。
【００２９】
水栓１０は、この正面側のネジ９によって取付筒３５に堅固に固定されるものであるから、カバー固定ネジ２９は単に装飾カバー２８を回り止めするだけのものであり、雌ネジ孔３１に軽くネジ込まれるだけで良い。従って、ネジ２９は例えば作業者が指先でつまんで回し、必要に応じＬ型の工具で軽く締める程度で良く、バックガード２が水栓１０に近接していてもネジ２９を容易に装着できる。
【００３０】
このネジ２９の頭は装飾カバー２８の外面に露出しているが、このネジ２９は水栓１０の真後に位置するため、シンク３の使用者には視覚されず、見栄えが損なわれることも全くない。
【００３１】
この第１〜４図の水栓取付構造においては、パッキン３６によって取付筒３５がカウンター１に水密的に取り付けられる（即ち、取付筒３５とカウンター１とのシールが行われる）と共に、該パッキン３６によって水栓５６の位置決め（ガタつき防止）が行われる。
【００３２】
第６図は別の実施の形態に係る構造を示す断面図である。この実施の形態は第７図の従来例において、平パッキン５４の代わりに前記パッキン３６を採用し、水栓５６の下端内周縁にテーパ面を設け、このテーパ面をパッキン３６のテーパ面３８に係合させたものである。パッキン５９は省略されている。その他の構成は第７図と同様であり、同一符号は同一部分を示している。
【００３３】
この実施の形態においても、１個のパッキン３６によって取付筒５２のカウンター５０への水密的固定と、水栓５６の位置決めが行われており、パッキン５９は不要である。
【００３４】
なお、水栓５６の取付作業に際しパッキン３６が傷付くこともない。
【００３５】
【発明の効果】
以上の通り、本発明の水栓取付構造及びパッキンによると、１個のパッキンにより水栓の位置決めと水栓取付部材の水密的固定とを行うことができ、きわめて便利である。また、パッキンの個数を減らすことによりコストも低減される。なお、水栓取付作業に際してパッキンが傷付くこともない。
【図面の簡単な説明】
【図１】実施の形態を示す縦断面図である。
【図２】実施の形態を示す分解図である。
【図３】実施の形態を示す取付作業説明図である。
【図４】実施の形態を示す取付作業説明図である。
【図５】パッキンの構成図であり、（ａ）図は平面図、（ｂ）図は断面図、（ｃ）図は断面斜視図である。
【図６】別の実施の形態を示す縦断面図である。
【図７】従来例を示す断面図である。
【図８】従来例を示す斜視図である。
【符号の説明】
１，５０  カウンター
２  バックガード
３  シンク
４，５１  水栓取付孔
９  ネジ
１０，５６  水栓
１６  吐出管
１９  ボディロワー
２８  カバー
２９  カバー固定ネジ
３０  開口
３５  水栓取付部材（取付筒）
３６  パッキン
３７  段部
３８  テーパ面
３９  雌ネジ孔
４０  Ｕ型座金
【図１】
0003653880.tif 000002
【図２】
0003653880.tif 000003
【図３】
0003653880.tif 000004
【図４】
0003653880.tif 000005
【図５】
0003653880.tif 000006
【図６】
0003653880.tif 000007
【図７】
0003653880.tif 000008
【図８】
0003653880.tif 000009